(57)【要約】【課題】振動等により弁体が次第に正規の切換位置から回転してしまうといった不具合を防止でき、さらに、弁体の切換位置を表示する表示機能を有する三方弁のロック装置を提供する。【解決手段】弁棒８に連結された減速機９の出力側カップリング１２の外周部に、第１〜第３の切換位置に対応する第１〜第３のロック孔５１ａ〜５１ｃが形成され、上記各ロック孔５１ａ〜５１ｃに対して挿脱自在なロックピン５５と、弁体の各切換位置を表示する開度表示機６０とが設けられている。開度表示機６０は、回転軸６２に設けられ且つロックピン５５に係合してロックピン５５の挿脱方向へ変位自在なカム６３と、回転軸６２に設けられて各目盛６４〜６６を指し示す指針６７とで構成され、第１のロック孔５１ａの深さｈａが第２，第３のロック孔５１ｂ，５１ｃの深さｈｂ，ｈｃよりも浅く形成されている。【選択図】　図１
2004028175.tif 000002
【特許請求の範囲】
【請求項１】
三方弁の回転自在な弁体を、第１〜第３の全ての出入口が開く第１全開切換位置と、第２の出入口のみが閉じる第２片閉切換位置と、第３の出入口のみが閉じる第３片閉切換位置とに固定するロック装置であって、
弁体と一体に回転する弁棒に、円筒状のロック部材が同一軸心上に設けられ、上記ロック部材の外周部に、第１全開切換位置に対応する第１のロック孔と、第２片閉切換位置に対応する第２のロック孔と、第３片閉切換位置に対応する第３のロック孔とが形成され、上記各ロック孔に対して挿脱自在なロックピンと、このロックピンを各ロック孔に対して挿入方向へ付勢する付勢手段と、上記弁体の各切換位置を表示する開度表示機とが設けられ、上記開度表示機は、ロックピンの挿脱方向に対して直交する軸心周りに回転自在な回転軸と、この回転軸に設けられ且つ上記ロックピンに係合してこのロックピンの挿脱方向へ変位自在なカムと、上記弁体の各切換位置に対応する目盛および上記各切換位置間の中間位置に対応する目盛と、上記回転軸に設けられて上記各目盛を指し示す指針とで構成され、上記第２のロック孔の深さと第３のロック孔の深さとが同一であり、第１のロック孔の深さが第２および第３のロック孔の深さに対して異なっていることを特徴とする三方弁のロック装置。
【請求項２】
第１のロック孔の深さと第２のロック孔の深さと第３のロック孔の深さとが全て異なっていることを特徴とする請求項１記載の三方弁のロック装置。
【請求項３】
ロック部材が弁棒に対して偏芯して設けられていることを特徴とする請求項１または請求項２記載の三方弁のロック装置。
【発明の詳細な説明】
【０００１】
【発明の属する技術分野】
本発明は、三方弁の回転自在な弁体を固定するロック装置に関する。
【０００２】
【従来の技術】
従来、三方弁としては、例えば図１５〜図１７に示すものがある。すなわち、三方弁１の弁箱２には第１〜第３の出入口３，４，５が形成されている。上記弁箱２内には、Ｔ形状に交差した弁体流路６を有する弁体７が設けられている。上記弁体７は、図１５に示すように第１〜第３の全ての出入口３，４，５が開く第１全開切換位置Ａと、図１６に示すように第１および第３の出入口３，５が開くとともに第２の出入口４のみが閉じる第２片閉切換位置Ｂと、図１７に示すように第１および第２の出入口３，４が開くとともに第３の出入口５のみが閉じる第３片閉切換位置Ｃとに回転自在に構成されている。
【０００３】
上記弁体７には皿形の弁体シート２５が設けられ、弁箱２内には弁箱シート２６ａ，２６ｂが設けられている。図１６に示すように、弁体７を上記第２片閉切換位置Ｂに切換えた場合、弁体シート２５が一方の弁箱シート２６ａに密接して、第２の出入口４側の止水性が確保され、また、図１７に示すように、弁体７を上記第３片閉切換位置Ｃに切換えた場合、弁体シート２５が他方の弁箱シート２６ｂに密接して、第３の出入口５側の止水性が確保される。
【０００４】
上記弁体７には弁棒８が設けられ、図１８に示すように、この弁棒８の一端部は弁箱２の外部に突出して遊星ギヤ式の減速機９に接続されている。この減速機９は台座１０を介して弁箱２に据付けられている。
【０００５】
図１８に示すように、上記減速機９は、入力側軸１１と、円筒状の出力側カップリング１２と、入力側軸１１と出力側カップリング１２との間に配置された歯車機構１３と、この歯車機構１３を収納するケース１４とで構成されている。上記歯車機構１３は、入力側軸１１に設けられた入力側ギヤ１５と、円筒部材の内周側に歯を有するインターナルギヤ１６と、上記両ギヤ１５，１６間に歯合し且つサンギヤ１７に軸支された複数の入力側プラネタリギヤ１８と、上記出力側カップリング１２に軸支され且つ両ギヤ１６，１７間に歯合する複数の出力側プラネタリギヤ１９とで構成されている。
【０００６】
上記入力側軸１１の先端には、キャップ２０を介して操作用ハンドル２１が着脱可能となっている。また、上記弁棒８の一端は出力側カップリング１２に差し込まれ、弁棒８と出力側カップリング１２とは同一軸心上にある。
【０００７】
また、上記減速機９には、上記弁体シート２５の位置を表示する開度表示装置３０が設けられている。図１８〜図２０に示すように、この開度表示装置３０は、上記入力側軸１１に連動連結された歯車機構３１と、この歯車機構３１によって回転する回転板３２と、この回転板３２に取付けられ且つ弁体シート２５の位置に対応する指針３３とで構成されている。
【０００８】
上記歯車機構３１は、上記入力側プラネタリギヤ１８を軸支しているギヤ軸３４を介して上記サンギヤ１７に連動連結された円盤状の開度板３５と、この開度板３５のギヤ部３５ａに歯合する大径ギヤ３６と、この大径ギヤ３６に一体に取付けられた小径ギヤ３７と、この小径ギヤ３７に歯合する開度ギヤ３８とで構成されている。上記回転板３２は上記開度ギヤ３８に設けられており、上記各ギヤ３６，３７，３８はインターナルギヤ１６の入力側端部を覆うカバー３９に支持されている。
【０００９】
尚、図１９に示すように、上記カバー３９の外面には、９０°間隔で４つのポジションが設定され、このうち３つのポジションにはそれぞれ「アキ」という文字４０ａ，４０ｂ，４０ｃが表示されており、残り１つのポジションは何も表示されない空白となっている。上記指針３３はこれら文字４０ａ，４０ｂ，４０ｃの上方を回転する。
【００１０】
尚、上記弁体７の回転範囲は、ストッパー（図示省略）によって、第２片閉切換位置Ｂ（図１６参照）と第３片閉切換位置Ｃ（図１７参照）との間にわたる１８０°に規制されている。
【００１１】
これによると、図１８の仮想線で示すように、キャップ２０に操作用ハンドル２１を装着し、この操作用ハンドル２１を回転することによって、入力側軸１１が回転し、この入力側軸１１の回転速度（回転数）が歯車機構１３によって減速され、減速された状態で出力側カップリング１２と弁棒８とが回転し、弁体７が回転する。これにより、弁体７が第１全開切換位置Ａ（図１５参照）と第２片閉切換位置Ｂ（図１６参照）と第３片閉切換位置Ｃ（図１７参照）とに切換えられる。
【００１２】
この際、上記入力側軸１１の回転により、上記歯車機構１３のサンギヤ１７と共に開度板３５が回転するため、開度表示装置３０の各ギヤ３６，３７，３８と回転板３２とが回転し、指針３３が回転する。
【００１３】
例えば、図１５に示すように、弁体７が第１全開切換位置Ａに切換えられた場合、図１９の実線で示すように、指針３３の向きは文字４０ａの１８０°反対側（空白のポジション）に位置して弁体シート２５の位置に対応し、全ての文字４０ａ，４０ｂ，４０ｃが表れる。これにより、作業者は、上記全ての文字４０ａ，４０ｂ，４０ｃを目視することで、弁体７が第１全開切換位置Ａに切換えられていることを認識する。
【００１４】
また、図１６に示すように、弁体７が第２片閉切換位置Ｂに切換えられた場合、図１９の仮想線で示すように、指針３３の向きは文字４０ｂの真上に位置して弁体シート２５の位置に対応する。これにより、上記文字４０ｂが指針３３によって隠れるため、作業者は、残り２つの文字４０ａ，４０ｃのみを目視することになり、弁体７が第２片閉切換位置Ｂに切換えられていることを認識する。
【００１５】
さらに、図１７に示すように、弁体７が第３片閉切換位置Ｃに切換えられた場合、指針３３の向きは文字４０ｃの真上に位置して弁体シート２５の位置に対応する。これにより、上記文字４０ｃが指針３３によって隠れるため、作業者は、残り２つの文字４０ａ，４０ｂのみを目視することになり、弁体７が第３片閉切換位置Ｃに切換えられていることを認識する。
【００１６】
【発明が解決しようとする課題】
しかしながら上記の従来形式では、弁体７を正規の切換位置（図１５〜図１７に示す第１全開切換位置Ａ，第２片閉切換位置Ｂ，第３片閉切換位置Ｃのいずれか）に切換えても、振動等により、弁体７が次第に上記正規の切換位置から回転してしまうといった問題があった。
【００１７】
また、図２０に示すように、開度表示装置３０は歯車作動式であるため、多数のギヤ３６，３７，３８から構成される歯車機構３１に異物等が噛み込んで開度表示装置３０が作動不良を起こし易く、このような場合、弁体７の切換位置に対して指針３３の向きがずれてしまい、指針３３の向きから正確に弁体７の切換位置を認識することができないといった問題もあった。
【００１８】
本発明は、振動等により、弁体が次第に正規の切換位置から回転してしまうといった不具合を防止でき、また、弁体の切換位置を表示する表示機能を有し、さらに、異物等の噛み込みによる上記表示機能の作動不良を防止できる三方弁のロック装置を提供することを目的とする。
【００１９】
【課題を解決するための手段】
上記目的を達成するために本第１発明では、三方弁の回転自在な弁体を、第１〜第３の全ての出入口が開く第１全開切換位置と、第２の出入口のみが閉じる第２片閉切換位置と、第３の出入口のみが閉じる第３片閉切換位置とに固定するロック装置であって、
弁体と一体に回転する弁棒に、円筒状のロック部材が同一軸心上に設けられ、
上記ロック部材の外周部に、第１全開切換位置に対応する第１のロック孔と、第２片閉切換位置に対応する第２のロック孔と、第３片閉切換位置に対応する第３のロック孔とが形成され、上記各ロック孔に対して挿脱自在なロックピンと、このロックピンを各ロック孔に対して挿入方向へ付勢する付勢手段と、上記弁体の各切換位置を表示する開度表示機とが設けられ、上記開度表示機は、ロックピンの挿脱方向に対して直交する軸心周りに回転自在な回転軸と、この回転軸に設けられ且つ上記ロックピンに係合してこのロックピンの挿脱方向へ変位自在なカムと、上記弁体の各切換位置に対応する目盛および上記各切換位置間の中間位置に対応する目盛と、上記回転軸に設けられて上記各目盛を指し示す指針とで構成され、上記第２のロック孔の深さと第３のロック孔の深さとが同一であり、第１のロック孔の深さが第２および第３のロック孔の深さに対して異なっているものである。
【００２０】
これによると、弁体を第１全開切換位置に切換えた場合、ロックピンを第１のロック孔に挿入することにより、弁棒の回転がロックピンで固定され、弁体が第１全開切換位置にロックされる。また、弁体を第２片閉切換位置に切換えた場合、ロックピンを第２のロック孔に挿入することにより、弁棒の回転がロックピンで固定され、弁体が第２片閉切換位置にロックされる。さらに、弁体を第３片閉切換位置に切換えた場合、ロックピンを第３のロック孔に挿入することにより、弁棒の回転がロックピンで固定され、弁体が第３片閉切換位置にロックされる。このように、上記ロックピンによって弁体を各切換位置にロックすることができるため、振動等により、弁体が次第に正規の切換位置から回転してしまうといった不具合を防止することができる。
【００２１】
また、ロックピンが各ロック孔に挿入される際、ロックピンの挿入方向への移動に伴ってカムがロックピンの挿入方向へ変位し、このカムの変位によって、回転軸が指針と共に一方へ回転する。この際、上記各ロック孔の深さに応じて、ロックピンのロック孔への挿入量が異なるため、カムの変位量が変化し、この変位量に応じて回転軸の回転角度も変化する。したがって、第１のロック孔の深さが第２および第３のロック孔の深さに対して異なっているため、ロックピンを第１のロック孔に挿入した場合と第２および第３のロック孔に挿入した場合とでは、上記回転軸の回転角度が異なり、指針の指し示す目盛が異なる。これにより、弁体を第１全開切換位置にロックした場合、指針は第１全開切換位置に対応した目盛を指し示し、また、弁体を第２および第３片閉切換位置にロックした場合、指針は第２および第３片閉切換位置に対応した目盛を指し示す。これにより、作業者は、指針を目視することで、弁体が第１全開切換位置に切換えられてロックされているか或いは第２および第３片閉切換位置に切換えられてロックされているかを容易に認識し得る。
【００２２】
また、上記ロックを解除して弁体の向きを切換える場合、付勢手段の付勢力に抗して回転軸を他方に回転させ、カムをロックピンの脱抜方向へ変位させる。これにより、上記ロックピンは、カムによって押し戻されて脱抜方向へ移動し、ロック孔から脱抜される。これにより、ロックが解除され、弁体が切換え可能となる。この際、上記回転軸と共に指針が他方へ回転して各切換位置間の中間位置に対応する目盛を指し示す。
【００２３】
そして、弁体が回転して各切換位置間の中間位置にある場合、ロックピンは、各ロック孔に挿入されず、ロック部材の外周面に当接し、したがって、弁体はロックされずに回転自在な状態となっている。この際、上記のように指針は各切換位置間の中間位置に対応する目盛を指し示している。これにより、作業者は、指針を目視することで、弁体が各切換位置間の中間位置に位置していることを容易に認識し得る。
【００２４】
上記のようにロック装置に開度表示機を設け、この開度表示機をカム作動式にしたため、開度表示機は従来のように多数のギヤから構成される歯車機構を有しておらず、したがって、上記開度表示機に異物等が噛み込んで作動不良を引き起こすといった不具合を防止することができる。
【００２５】
また、本第２発明では、第１のロック孔の深さと第２のロック孔の深さと第３のロック孔の深さとが全て異なっているものである。
これによると、第１のロック孔の深さと第２のロック孔の深さと第３のロック孔の深さとが全て異なっているため、ロックピンを第１のロック孔に挿入した場合と第２のロック孔に挿入した場合と第３のロック孔に挿入した場合とでは、回転軸の回転角度がそれぞれ異なり、指針の指し示す目盛が異なる。これにより、弁体を第１全開切換位置にロックした場合、指針は第１全開切換位置に対応した目盛を指し示し、また、弁体を第２片閉切換位置にロックした場合、指針は第２片閉切換位置に対応した目盛を指し示し、さらに、弁体を第３片閉切換位置にロックした場合、指針は第３片閉切換位置に対応した目盛を指し示す。これにより、作業者は、指針を目視することで、弁体が第１全開切換位置に切換えられてロックされているか又は第２片閉切換位置に切換えられてロックされているか或いは第３片閉切換位置に切換えられてロックされているかを容易に認識し得る。
【００２６】
また、本第３発明では、ロック部材が弁棒に対して偏芯して設けられているものである。
これによると、弁体が第１全開切換位置と第２片閉切換位置との中間位置に向いている場合と第１全開切換位置と第３片閉切換位置との中間位置に向いている場合とでは、ロックピンがロック部材の外周面に当接する当接位置はロックピンの挿脱方向において異なるため、カムの変位量が異なり、これによって指針の向きが異なる。したがって、作業者は、指針を目視することにより、弁体が第１全開切換位置と第２片閉切換位置との中間位置に向いている場合と第１全開切換位置と第３片閉切換位置との中間位置に向いている場合とを容易に判別し得る。
【００２７】
【発明の実施の形態】
以下、本発明の第１の実施の形態を図１〜図８に基づいて説明する。
尚、三方弁１と減速機９と開度表示装置３０とは上記従来のものと同一であるため、同じ番号を付記して説明を省略する。
【００２８】
図１〜図５に示すように、上記減速機９には、上記弁体７を上記第１全開切換位置Ａ（図１５参照）と第２片閉切換位置Ｂ（図１６参照）と第３片閉切換位置Ｃ（図１７参照）とに固定するロック装置５０が設けられている。
【００２９】
以下、上記ロック装置５０の構成を説明する。
上記減速機９の出力側カップリング１２はロック部材の一例であり、この出力側カップリング１２の外周部には、第１全開切換位置Ａに対応する第１のロック孔５１ａと、第２片閉切換位置Ｂに対応する第２のロック孔５１ｂと、第３片閉切換位置Ｃに対応する第３のロック孔５１ｃとが形成されている。このうち、上記第２のロック孔５１ｂの深さｈｂと第３のロック孔５１ｃの深さｈｃとは同一であり（ｈｂ＝ｈｃ）、第１のロック孔５１ａの深さｈａは第２および第３のロック孔５１ｂ，５１ｃの深さｈｂ，ｈｃよりも浅く（ｈａ＜ｈｂ，ｈｃ）形成されている。
【００３０】
また、上記減速機９にはロック装置５０の筒状のケース５４が設けられ、ケース５４内には、上記各ロック孔５１ａ〜５１ｃに対して挿脱自在なロックピン５５と、このロックピン５５を各ロック孔５１ａ〜５１ｃに対して挿入方向Ｄへ付勢するコイルばね５６（付勢手段の一例）とが設けられている。
【００３１】
上記ロックピン５５の中央部には径方向へ張り出した太径部５７が形成され、さらに、ロックピン５５の中央外周面には、軸心５８を中心として対向する一対の凹部５９が形成されている。図４に示すように、これら両凹部５９は平坦な面として形成され、両凹部５９間の間隔Ｍはロックピン５５の直径Ｎよりも小さい。
【００３２】
また、上記ケース５４には、弁体７の切換位置を表示する開度表示機６０が設けられている。この開度表示機６０は、ロックピン５５の挿脱方向Ｄ，Ｅ（軸心５８方向）に対して直交する軸心６１の周りに回転自在な回転軸６２と、この回転軸６２に設けられ且つ上記ロックピン５５に係合してこのロックピン５５の挿脱方向Ｄ，Ｅへ変位自在なカム６３と、複数の目盛６４〜６６と、上記回転軸６２に設けられて上記各目盛６４〜６６を指し示す指針６７とで構成されている。
【００３３】
上記回転軸６２はケース５４に支持されており、一端部がケース５４の外側へ突出している。上記カム６３の基端部は、回転軸６２に外嵌され、ねじ６８等によって回転軸６２に一体に取付けられている。また、カム６３の遊端部には一対の円板状の係合部６９が備えられている。これら両係合部６９はそれぞれ上記ロックピン５５の凹部５９に係合している。
【００３４】
また、上記目盛６４〜６６はケース５４の外面に刻印等で表記されている。このうち、図１に示すように、上記目盛６４は、「全開ロック」と印されており、第１全開切換位置Ａに対応している。また、上記目盛６５は、「片閉ロック」と印されており、第２片閉切換位置Ｂおよび第３片閉切換位置Ｃのいずれかに対応している。さらに、上記目盛６６は、「フリー」と印されており、第１全開切換位置Ａと第２片閉切換位置Ｂとの中間位置および第１全開切換位置Ａと第３片閉切換位置Ｃとの中間位置のいずれかの中間位置に対応している。
【００３５】
尚、図１３の仮想線で示すように、上記回転軸６２の一端には操作用レバー７０が着脱可能である。
以下、上記構成における作用を説明する。
【００３６】
図１５に示すように弁体７を第１全開切換位置Ａに切換えた場合、図１（ｂ）に示すように、ロックピン５５の先端を出力側カップリング１２の第１のロック孔５１ａに挿入することにより、弁棒８の回転がロックピン５５で固定され、弁体７が第１全開切換位置Ａにロックされる。また、図１６に示すように弁体７を第２片閉切換位置Ｂに切換えた場合、図８（ｂ）に示すように、ロックピン５５の先端を第２のロック孔５１ｂに挿入することにより、弁棒８の回転がロックピン５５で固定され、弁体７が第２片閉切換位置Ｂにロックされる。さらに、図１７に示すように弁体７を第３片閉切換位置Ｃに切換えた場合、ロックピン５５の先端を第３のロック孔５１ｃに挿入することにより、弁棒８の回転がロックピン５５で固定され、弁体７が第３片閉切換位置Ｃにロックされる。このように、上記ロックピン５５によって弁体７を各切換位置Ａ〜Ｃにロックすることができるため、振動等により、弁体７が次第に正規の切換位置Ａ〜Ｃから回転してしまうとった不具合を防止することができる。
【００３７】
上記のようにロックピン５５が第１〜第３の各ロック孔５１ａ〜５１ｃに挿入される際、ロックピン５５の挿入方向Ｄへの移動に伴ってカム６３がロックピン５５の挿入方向Ｄへ変位（揺動）し、このカム６３の変位によって、回転軸６２が指針６７と共に一方へ回転する。
【００３８】
例えば、図１（ｂ）に示すように、ロックピン５５を第１のロック孔５１ａに挿入した場合、第１のロック孔５１ａの深さｈａは第２および第３のロック孔５１ｂ，５１ｃの深さｈｂ，ｈｃよりも浅いため、ロックピン５５の第１のロック孔５１ａへの挿入量が少なく、したがって、カム６３の変位量が小さくなり、この変位量に応じて回転軸６２の回転角度も小さくなり、これにより、図１（ａ）に示すように、指針６７は「全開ロック」と印された目盛６４を指し示す。
【００３９】
また、図８（ｂ）に示すように、ロックピン５５を第２のロック孔５１ｂに挿入した場合、第２のロック孔５１ｂの深さｈｂは第１のロック孔５１ａの深さｈａよりも深いため、ロックピン５５の第２のロック孔５１ｂへの挿入量が第１のロック孔５１ａに比べて多くなり、したがって、カム６３の変位量が大きくなり、この変位量に応じて回転軸６２の回転角度も大きくなり、これにより、図８（ａ）に示すように、指針６７は「片閉ロック」と印された目盛６５を指し示す。
【００４０】
さらに、ロックピン５５を第３のロック孔５１ｃに挿入した場合も、上記第２のロック孔５１ｂに挿入した場合と同様に、指針６７は「片閉ロック」と印された目盛６５を指し示す。
【００４１】
また、上記のようなロックを解除して弁体７の向きを切換える場合、図６（ａ）に示すように、作業者は、減速機９のキャップ２０に操作用ハンドル２１を取り付けるとともに、ロック装置５０の回転軸６２の一端に操作用レバー７０を差し込んで取り付け、この操作用レバー７０を回して回転軸６２をコイルばね５６の付勢力に抗して他方に回転させ、図６（ｂ）に示すように、カム６３をロックピン５５の脱抜方向Ｅへ変位（揺動）させる。これにより、コイルばね５６が圧縮され、ロックピン５５は、カム６３によって押し戻されて脱抜方向Ｅへ移動し、ロック孔５１ａ（５１ｂ，５１ｃ）から脱抜される。これにより、ロックが解除され、弁体７が切換え可能となる。この際、図６（ａ）に示すように、上記回転軸６２と共に指針６７が他方へ回転して「フリー」と印された目盛６６を指し示す。
【００４２】
上記のように作業者は操作用レバー７０を操作してロックを解除した状態で、操作用ハンドル２１を回すことにより、出力側カップリング１２と弁棒８とが回転し、弁体７が回転する。
【００４３】
上記のように弁体７が回転して第１全開切換位置Ａ（図１５参照）と第２片閉切換位置Ｂ（図１６参照）との間の中間位置にある場合、図７（ｂ）に示すように、作業者が操作用レバー７０から手を離しても、ロックピン５５は、ロック孔５１ａ，５１ｂに挿入されず、コイルばね５６の付勢力によって出力側カップリング１２の外周面に当接した状態となる。したがって、弁体７はロックされずに回転自在な状態となり、図７（ａ）に示すように、指針６７は「フリー」と印された目盛６６を指し示したままとなる。また、弁体７が回転して第１全開切換位置Ａと第３片閉切換位置Ｃとの間の中間位置にある場合も同様に、作業者が操作用レバー７０から手を離しても、ロックピン５５は、ロック孔５１ａ，５１ｃに挿入されず、コイルばね５６の付勢力によって出力側カップリング１２の外周面に当接した状態となる。したがって、指針６７は「フリー」と印された目盛６６を指し示したままとなる。
【００４４】
これにより、作業者は、指針６７を目視することで、弁体７が第１全開切換位置Ａに切換えられてロックされた状態（図６参照）か、又は、第２および第３片閉切換位置Ｂ，Ｃに切換えられてロックされた状態（図８参照）か、或いは、各切換位置Ａ〜Ｃ間の中間位置に位置している状態（図７参照）か、を認識し得る。
【００４５】
また、上記のようにロック装置５０に開度表示機６０を設け、この開度表示機６０をカム作動式にしたため、開度表示機６０は従来のように多数のギヤから構成される歯車機構１３を有しておらず、したがって、上記開度表示機６０に異物等が噛み込んで作動不良を引き起こすといった不具合を防止することができる。
【００４６】
また、作業者が減速機９に設けられた開度表示装置３０とロック装置５０に設けられた開度表示機６０とを目視することによって、弁体７の切換位置をダブルチェックすることができ、三方弁１の誤操作を確実に防止することができる。
【００４７】
上記第１の実施の形態では、第１のロック孔５１ａの深さｈａを第２および第３のロック孔５１ｂ，５１ｃの深さｈｂ，ｈｃよりも浅くしたが、深くしてもよい。
【００４８】
尚、上記第１の実施の形態では、図８に示すように、指針６７が「片閉ロック」と印された目盛６５を指し示している場合、作業者は、開度表示機６０の指針６７を目視するのみでは、弁体７が第２片閉切換位置Ｂと第３片閉切換位置Ｃとのどちらに切換えられているのかを判別することはできず、上記減速機９に設けられた開度表示装置３０を目視する必要がある。或いは、弁体７が第２片閉切換位置Ｂに切換えられている場合は、ストッパー（図示省略）の作用によって弁体７がこれ以上左へ回転せず、反対に、弁体７が第３片閉切換位置Ｃに切換えられている場合は、ストッパー（図示省略）の作用によって弁体７がこれ以上右へ回転しないため、減速機９の操作用ハンドル２１が左右どちらに回転するかを確かめることによって、弁体７が第２片閉切換位置Ｂと第３片閉切換位置Ｃとのどちらに切換えられているのかを判別することができる。
【００４９】
上記のように、上記第１の実施の形態では、指針６７が「片閉ロック」と印された目盛６５を指し示している場合、弁体７が第２片閉切換位置Ｂと第３片閉切換位置Ｃとのどちらに切換えられているのかを判別することは手間がかかり、このような手間を省くために、次に示すような第２の実施の形態が挙げられる。
【００５０】
すなわち、図９に示すように、第２のロック孔５１ｂの深さｈｂは第１のロック孔５１ａの深さｈａよりも浅く形成され、第３のロック孔５１ｃの深さｈｃは第１のロック孔５１ａの深さｈａよりも深く形成されている（ｈｂ＜ｈａ＜ｈｃ）。
【００５１】
また、ケース５４の外面には複数の目盛６４，６５ａ，６５ｂ，６６が刻印等で表記されている。このうち、上記目盛６４は、「全開ロック」と印されており、第１全開切換位置Ａ（図１５参照）に対応している。また、上記目盛６５ａは、「左片閉ロック」と印されており、第２片閉切換位置Ｂ（図１６参照）に対応している。また、上記目盛６５ｂは、「右片閉ロック」と印されており、第３片閉切換位置Ｃ（図１７参照）に対応している。さらに、目盛６６は、「フリー」と印されており、第１全開切換位置Ａと第２片閉切換位置Ｂとの中間位置および第１全開切換位置Ａと第３片閉切換位置Ｃとの中間位置のいずれかの中間位置に対応している。
【００５２】
これによると、
（１）図１０に示すように、ロックピン５５を第２のロック孔５１ｂに挿入して弁体７を第２片閉切換位置Ｂに固定した場合、第２のロック孔５１ｂの深さｈｂは第１および第３のロック孔５１ａ，５１ｃの深さｈａ，ｈｃよりも浅いため、ロックピン５５の第２のロック孔５１ｂへの挿入量が最も少なく、したがって、カム６３の変位量が小さくなり、この変位量に応じて回転軸６２の回転角度も小さくなり、これにより、指針６７は「左片閉ロック」と印された目盛６５ａを指し示す。
【００５３】
（２）また、図１１に示すように、ロックピン５５を第３のロック孔５１ｃに挿入して弁体７を第３片閉切換位置Ｃに固定した場合、第３のロック孔５１ｃの深さｈｃは第１および第２のロック孔５１ａ，５１ｂの深さｈａ，ｈｂよりも深いため、ロックピン５５の第３のロック孔５１ｃへの挿入量が最も多く、したがって、カム６３の変位量が大きくなり、この変位量に応じて回転軸６２の回転角度も大きくなり、これにより、指針６７は「右片閉ロック」と印された目盛６５ｂを指し示す。
【００５４】
（３）さらに、図９に示すように、ロックピン５５を第１のロック孔５１ａに挿入して弁体７を第１全開切換位置Ａに固定した場合、第１のロック孔５１ａの深さｈａは、ｈｂ＜ｈａ＜ｈｃ、の関係にあるため、ロックピン５５の第１のロック孔５１ａへの挿入量とカム６３の変位量と回転軸６２の回転角度とがそれぞれ上記（１）の場合よりも大きく且つ上記（２）の場合よりも小さくなる。これにより、指針６７は「全開ロック」と印された目盛６４を指し示す。
【００５５】
（４）また、弁体７が回転して第１全開切換位置Ａと第２片閉切換位置Ｂとの間の中間位置にある場合、ロックピン５５は、ロック孔５１ａ，５１ｂに挿入されず、コイルばね５６の付勢力によって出力側カップリング１２の外周面に当接した状態となる。したがって、弁体７はロックされずに回転自在な状態となり、指針６７は「フリー」と印された目盛６６を指し示す。また、弁体７が回転して第１全開切換位置Ａと第３片閉切換位置Ｃとの間の中間位置にある場合も同様に、指針６７が「フリー」と印された目盛６６を指し示す。
【００５６】
上記（１）〜（４）によって、作業者が指針６７を目視することで、弁体７が第１全開切換位置Ａと第２片閉切換位置Ｂと第３片閉切換位置Ｃと中間位置とのどの位置に切換えられているのかを判別することができ、特に、上記第１の実施の形態のものに比べて、弁体７が第２片閉切換位置Ｂと第３片閉切換位置Ｃとのどちらに切換えられているのかを容易に判別することができる。
【００５７】
上記第２の実施の形態では、第１〜第３のロック孔５１ａ〜５１ｃの深さをｈｂ＜ｈａ＜ｈｃの関係にしているが、この関係に限定されるものではなく、各深さｈａ，ｈｂ，ｈｃがそれぞれ異なっていればよい。
【００５８】
尚、上記第１および第２の実施の形態では、指針６７が「フリー」と印された目盛６６を指し示している場合、作業者は、弁体７が第１全開切換位置Ａと第２片閉切換位置Ｂとの間の中間位置にある場合か、或いは、弁体７が第１全開切換位置Ａと第３片閉切換位置Ｃとの間の中間位置にある場合なのか、を判別することはできない。このような中間位置の判別を可能にするために、次に示すような第３の実施の形態が挙げられる。
【００５９】
すなわち、図１２〜図１４に示すように、減速機９の出力側カップリング１２の軸心１２ａを弁棒８の軸心８ａに対して偏芯させて設け、出力側カップリング１２が弁棒８の軸心８ａを中心として弁棒８と一体に回転自在に構成されている。
【００６０】
また、ケース５４の外面には複数の目盛６４，６５ａ，６５ｂ，６６ａ，６６ｂが刻印等で表記されている。このうち、上記目盛６４，６５ａ，６５ｂは上記第２の実施の形態のものと同一である。また、上記目盛６６ａは、「左フリー」と印されており、第１全開切換位置Ａ（図１５参照）と第２片閉切換位置Ｂ（図１６参照）との中間位置に対応している。さらに、目盛６６ｂは、「右フリー」と印されており、第１全開切換位置Ａ（図１５参照）と第３片閉切換位置Ｃ（図１７参照）との中間位置に対応している。
【００６１】
これによると、
（１）弁体７が回転して第１全開切換位置Ａと第２片閉切換位置Ｂとの間の中間位置にある場合、図１３（ｂ）に示すようにロックピン５５が出力側カップリング１２の外周面に当接した状態となり、図１３（ａ）に示すように指針６７が「左フリー」と印された目盛６６ａを指し示す。
（２）また、弁体７が回転して第１全開切換位置Ａと第３片閉切換位置Ｃとの間の中間位置にある場合、図１４（ｂ）に示すようにロックピン５５が出力側カップリング１２の外周面に当接した状態となり、図１４（ａ）に示すように指針６７が「右フリー」と印された目盛６６ｂを指し示す。
【００６２】
ここで、上記（１）と（２）を比較すると、出力側カップリング１２が弁棒８に対して偏芯しているため、図１３に示した上記（１）の場合におけるロックピン５５の出力側カップリング１２の外周面への当接位置イと図１４に示した上記（２）の場合における上記当接位置ロとがロックピン５５の挿脱方向Ｄ，Ｅにおいて異なる。したがって、上記（１）の場合と（２）の場合とではカム６３の変位量（揺動量）が異なり、指針６７の向きが異なる。これにより、上記（１）の場合においては指針６７が「左フリー」の目盛６６ａを指し、上記（２）の場合においては指針６７が「右フリー」の目盛６６ｂを指す。したがって、作業者は、指針６７を目視することで、弁体７が第１全開切換位置Ａと第２片閉切換位置Ｂとの間の中間位置にある場合か或いは弁体７が第１全開切換位置Ａと第３片閉切換位置Ｃとの間の中間位置にある場合なのかを容易に判別することができる。
【００６３】
【発明の効果】
以上のように本第１発明によると、ロックピンを第１〜第３のロック孔に挿入することによって、弁体を各切換位置にロックすることができるため、振動等により、弁体が次第に正規の切換位置から回転してしまうといった不具合を防止することができる。
【００６４】
また、作業者は、指針を目視することで、弁体が第１全開切換位置に切換えられてロックされているか又は第２および第３片閉切換位置に切換えられてロックされているか或いは各切換位置間の中間位置に位置しているかを容易に認識し得る。
【００６５】
上記のようにロック装置に開度表示機を設け、この開度表示機をカム作動式にしたため、開度表示機は従来のように多数のギヤから構成される歯車機構を有しておらず、したがって、上記開度表示機に異物等が噛み込んで作動不良を引き起こすといった不具合を防止することができる。
【００６６】
また、本第２発明によると、作業者は、指針を目視することで、弁体が第１全開切換位置に切換えられてロックされているか又は第２片閉切換位置に切換えられてロックされているか或いは第３片閉切換位置に切換えられてロックされているかを容易に認識し得る。
【００６７】
さらに、本第３発明によると、作業者は、指針を目視することにより、弁体が第１全開切換位置と第２片閉切換位置との中間位置に向いている場合と第１全開切換位置と第３片閉切換位置との中間位置に向いている場合とを容易に判別し得る。
【図面の簡単な説明】
【図１】本発明の第１の実施の形態における三方弁のロック装置の図であり、（ａ）は弁体を第１全開切換位置にロックした場合の平面図、（ｂ）は上記（ａ）の断面図である。
【図２】同、三方弁のロック装置の側面図である。
【図３】図１（ｂ）におけるＸ−Ｘ矢視図である。
【図４】同、三方弁のロック装置のロックピンの凹部の断面図である。
【図５】同、三方弁の減速機の断面図である。
【図６】同、三方弁のロック装置の図であり、（ａ）は操作用レバーで回転軸をフリーの目盛の位置まで回した場合の平面図、（ｂ）は上記（ａ）の断面図である。
【図７】同、三方弁のロック装置の図であり、（ａ）は弁体を第１全開切換位置と第２片閉切換位置との間の中間位置に向けた場合の平面図、（ｂ）は上記（ａ）の断面図である。
【図８】同、三方弁のロック装置の図であり、（ａ）は弁体を第２片閉切換位置にロックした場合の平面図、（ｂ）は上記（ａ）の断面図である。
【図９】本発明の第２の実施の形態における三方弁のロック装置の図であり、（ａ）は弁体を第１全開切換位置にロックした場合の平面図、（ｂ）は上記（ａ）の断面図である。
【図１０】同、三方弁のロック装置の図であり、（ａ）は弁体を第２片閉切換位置にロックした場合の平面図、（ｂ）は上記（ａ）の断面図である。
【図１１】同、三方弁のロック装置の図であり、（ａ）は弁体を第３片閉切換位置にロックした場合の平面図、（ｂ）は上記（ａ）の断面図である。
【図１２】本発明の第３の実施の形態における三方弁のロック装置の図であり、（ａ）は弁体を第１全開切換位置にロックした場合の平面図、（ｂ）は上記（ａ）の断面図である。
【図１３】同、三方弁のロック装置の図であり、（ａ）は弁体を第１全開切換位置と第２片閉切換位置との間の中間位置に向けた場合の平面図、（ｂ）は上記（ａ）の断面図である。
【図１４】同、三方弁のロック装置の図であり、（ａ）は弁体を第１全開切換位置と第３片閉切換位置との間の中間位置に向けた場合の平面図、（ｂ）は上記（ａ）の断面図である。
【図１５】従来の三方弁の断面図であり、弁体を第１全開切換位置に切換えた状態を示す。
【図１６】同、三方弁の断面図であり、弁体を第２片閉切換位置に切換えた状態を示す。
【図１７】同、三方弁の断面図であり、弁体を第３片閉切換位置に切換えた状態を示す。
【図１８】同、三方弁の減速機の断面図である。
【図１９】図１８におけるＸ−Ｘ矢視図である。
【図２０】同、三方弁の減速機に設けられた開度表示装置の断面図である。
【符号の説明】
１　　三方弁
３　　第１の出入口
４　　第２の出入口
５　　第３の出入口
７　　弁体
８　　弁棒
１２　　出力側カップリング（ロック部材）
５０　　ロック装置
５１ａ〜５１ｃ　　第１〜第３のロック孔
５５　　ロックピン
５６　　コイルばね（付勢手段）
６０　　開度表示機
６１　　軸心
６２　　回転軸
６３　　カム
６４，６５，６５ａ，６５ｂ，６６，６６ａ，６６ｂ　　目盛
６７　　指針
Ａ　　第１全開切換位置
Ｂ　　第２片閉切換位置
Ｃ　　第３片閉切換位置
Ｄ　　挿入方向
Ｅ　　脱抜方向
ｈａ〜ｈｃ　　第１〜第３のロック孔の深さ
【図１】
2004028175.tif 000003
【図２】
2004028175.tif 000004
【図３】
2004028175.tif 000005
【図４】
2004028175.tif 000006
【図５】
2004028175.tif 000007
【図６】
2004028175.tif 000008
【図７】
2004028175.tif 000009
【図８】
2004028175.tif 000010
【図９】
2004028175.tif 000011
【図１０】
2004028175.tif 000012
【図１１】
2004028175.tif 000013
【図１２】
2004028175.tif 000014
【図１３】
2004028175.tif 000015
【図１４】
2004028175.tif 000016
【図１５】
2004028175.tif 000017
【図１６】
2004028175.tif 000018
【図１７】
2004028175.tif 000019
【図１８】
2004028175.tif 000020
【図１９】
2004028175.tif 000021
【図２０】
2004028175.tif 000022